(57)【要約】【課題】双方向デジタル放送受信機の数が膨大になると、ＳＮＭＰのポーリングによる方法では、ポーリング周期が長くなり、ポーリング時に双方向デジタル放送受信機が電源ＯＦＦであったりした場合は、設定を行うことができず、設定効率が悪い。【解決手段】双方向デジタル放送受信機１６０の設定情報と設定情報識別情報とを保持する保持部１０１と、設置情報要求を受信し、受信した設置情報要求に対して設定情報と設定情報識別情報とを送信する通信部１０３と、通信部１０３から設置情報要求を受信すると、設置情報要求に含まれる受信機識別情報、受信機機種識別情報、受信機機種識別情報と受信機情報に対応するグループ識別情報の組合せ情報のいずれかの情報に対応する設置情報と設定情報識別情報とを保持部１０１から選択し通信部１０３に通知する処理部１０２と、からなる双方向受信機管理サーバ１００。【選択図】図１
2013077861.tif 000002
【特許請求の範囲】
【請求項１】
双方向デジタル放送受信機の受信機識別情報と、受信機機種識別情報と、受信機機種識別情報と受信機情報に対応するグループ識別情報の組合せ情報とのいずれかの情報に対応する双方向デジタル放送受信機の設定情報と、前記設定情報を識別する設定情報識別情報とを保持する保持部と、
受信機識別情報と受信機機種識別情報と受信機情報とを含む設置情報要求を受信し、また、前記受信した受信機情報に対して設定情報と前記設定情報を識別する設定情報識別情報とを送信する通信部と、
前記通信部から設置情報要求を受信すると、前記設置情報要求に含まれる受信機識別情報、受信機機種識別情報、受信機機種識別情報と受信機情報に対応するグループ識別情報の組合せ情報のいずれかの情報に対応する設置情報と前記設定情報を識別する設定情報識別情報とを前記保持部から選択し前記通信部に通知する処理部と、
からなる双方向受信機管理サーバ。
【請求項２】
前記通信部は、さらに、
受信機識別情報と受信機機種識別情報と受信機情報と設定情報識別情報とを含む更新情報要求を受信し、
前記処理部は、
前記通信部から更新情報要求を受信すると、前記保持部に保持し前記更新情報要求に含まれる受信機識別情報、受信機機種識別情報、受信機機種識別情報と受信機情報に対応するグループ識別情報の組合せ情報のいずれかの情報に対応する設置情報を識別する設定情報識別情報と、前記通信部で受信した更新情報要求に含まれる設定情報識別情報とを比較し、
前記通信部で受信した更新情報要求に含まれる設定情報識別情報が古い場合、前記保持部に保持する前記設置情報と設定情報識別情報とを前記通信部に通知し、
前記通信部で受信した更新情報要求に含まれる設定情報識別情報と同じまたは新しい場合、該当する設定情報はない旨を前記通信部に通知する
ことを特徴とする請求項１記載の双方向受信機管理サーバ。
【請求項３】
受信機識別情報と受信機機種識別情報と受信機情報とを保持する保持部と、
前記保持部に保持する受信機識別情報と受信機機種識別情報と受信機情報とを含む設置情報要求を送信し、また、前記送信した設置情報要求に対して設定情報と前記設定情報を識別する設定情報識別情報を受信する通信部と、
前記通信部で受信した設定情報と前記設定情報を識別する設定情報識別情報を前記保持部に保持させ、前記保持部に保持させた設定情報に基づき設定を行う処理部と、
からなる双方向デジタル放送受信機。
【請求項４】
前記通信部は、さらに、
前記保持部に保持する受信機識別情報と受信機機種識別情報と受信機情報と設定情報識別情報とを含む更新情報要求を送信し、また、前記送信した更新情報要求に対して新たな設定情報と前記新たな設定情報を識別する設定情報識別情報とを受信し、
前記処理部は、
前記通信部で受信した新たな設定情報と前記新たな設定情報を識別する設定情報識別情報とを前記保持部に保持させ、前記保持部に保持させた新たな設定情報に基づき設定を行う
ことを特徴とする請求項３記載の双方向デジタル放送受信機。
【請求項５】
双方向デジタル放送受信機の受信機識別情報と、受信機機種識別情報と、受信機機種識別情報とグループ識別情報の組合せ情報とのいずれかの情報に対応する双方向デジタル放送受信機の設定情報と、前記設定情報を識別する設定情報識別情報とを保持する双方向受信機管理サーバにおける双方向デジタル放送受信機の設定方法において、
受信機識別情報と受信機機種識別情報と受信機情報とを含む設置情報要求を受信するステップと、
前記受信した設置情報要求に含まれる受信機識別情報、受信機機種識別情報、受信機機種識別情報と受信機情報に対応するグループ識別情報の組合せ情報のいずれかの情報に対応する設置情報と前記設定情報を識別する設定情報識別情報とを選択し前記受信した受信機情報に対して送信するステップと、
からなる双方向受信機管理サーバにおける双方向デジタル放送受信機の設定方法。
【請求項６】
受信機識別情報と受信機機種識別情報と受信機情報とを保持する双方向デジタル放送受信機の設定方法において、
前記保持する受信機識別情報と受信機機種識別情報と受信機情報とを含む設置情報要求を送信するステップと、
前記送信した設置情報要求に対して設定情報と前記設定情報を識別する設定情報識別情報を受信するステップと、
前記受信した設定情報と前記設定情報を識別する設定情報識別情報を保持するステップと、
前記保持した設定情報に基づき設定を行うステップと、
からなる双方向デジタル放送受信機の設定方法。
【発明の詳細な説明】
【技術分野】
【０００１】
本発明はＣＡＴＶ（ケーブルＴＶ）等の双方向デジタル放送システムにおける双方向デジタル放送受信機の設定をＳＮＭＰ（シンプル・ネットワーク・マネジメント・プロトコル）を用いて行う技術に関するものである。
【背景技術】
【０００２】
近年、インターネットの広がりに伴い、デジタル放送受信機にもモデムを搭載した双方向デジタル放送受信機が一般化しつつある。これにより、双方向デジタル放送受信機の受信チャンネル等のステータス情報をケーブルＴＶ局が知る目的で、特許文献１に記載されているようなＳＮＭＰによる情報収集のしくみが提案されている。さらにこのしくみを利用し、双方向デジタル放送受信機の設定を行うことが考えられる。
【０００３】
図７は、ＣＡＴＶにおける双方向デジタル放送受信機の設定を、ＳＮＭＰを用いて行うシステムの構成を示すものである。
【０００４】
ＳＮＭＰマネージャ７１０は、双方向デジタル放送受信機７２０のＭＡＣ（メディア・アクセス・コントロール）アドレスから、ＤＨＣＰ（ダイナミック・ホスト・コンフィギュレーション・プロトコル）サーバ（図示せず）に、対応するＩＰ（インターネットプロトコル）アドレスを問い合わせ、取得したＩＰアドレス宛にＣＭＴＳ（ケーブルモデム終端システム）１３０を経由し、ＣＡＴＶの伝送路１５０に接続された双方向デジタル放送受信機７２０に対してアクセスを行い、ＭＩＢ（マネジメント・インフォメーション・ベイス）情報によりステータス情報等の情報収集および設定を行う。ＳＮＭＰマネージャ７１０は、伝送路１５０に複数接続された双方向デジタル放送受信機７２０に対して順次ポーリングを行い、上記の処理を繰り返す。
【先行技術文献】
【特許文献】
【０００５】
【特許文献１】特開２００４−２８２２１０号公報
【発明の概要】
【発明が解決しようとする課題】
【０００６】
しかしながら、従来の構成では、双方向デジタル放送受信機の数が数十万から百数十万となり、膨大になると、ＳＮＭＰのポーリングによる方法では、ポーリング周期が長くなり、ポーリング時に双方向デジタル放送受信機が電源ＯＦＦであったりした場合は、設定を行うことができず、いわゆる無駄打ちが発生し、設定効率が悪く、場合によっては設定できないという問題があった。また、双方向デジタル放送受信機のＩＰアドレスはＤＨＣＰによって付与されるため、一旦接続が切られた後再接続すると新たなＩＰアドレスが付与されるため、双方向受信機管理サーバから双方向デジタル放送受信機にアクセスするためには、ＤＨＣＰサーバに個々の双方向デジタル放送受信機のＩＰアドレスを定期的に問い合わせ、最新の情報を管理する必要があった。
【課題を解決するための手段】
【０００７】
前記従来の課題を解決するために、本発明の双方向受信機管理サーバは、双方向デジタル放送受信機の受信機識別情報と、受信機機種識別情報と、受信機機種識別情報と受信機情報に対応するグループ識別情報の組合せ情報とのいずれかの情報に対応する双方向デジタル放送受信機の設定情報と、前記設定情報を識別する設定情報識別情報とを保持する保持部と、受信機識別情報と受信機機種識別情報と受信機情報とを含む設置情報要求を受信し、また、前記受信した受信機情報に対して設定情報と前記設定情報を識別する設定情報識別情報とを送信する通信部と、前記通信部から設置情報要求を受信すると、前記設置情報要求に含まれる受信機識別情報、受信機機種識別情報、受信機機種識別情報と受信機情報に対応するグループ識別情報の組合せ情報のいずれかの情報に対応する設置情報と前記設定情報を識別する設定情報識別情報とを前記保持部から選択し前記通信部に通知する処理部と、からなる。
【０００８】
また、本発明の双方向受信機管理サーバにおいて、前記通信部は、さらに、受信機識別情報と受信機機種識別情報と受信機情報と設定情報識別情報とを含む更新情報要求を受信し、前記処理部は、前記通信部から更新情報要求を受信すると、前記保持部に保持し前記更新情報要求に含まれる受信機識別情報、受信機機種識別情報、受信機機種識別情報と受信機情報に対応するグループ識別情報の組合せ情報のいずれかの情報に対応する設置情報を識別する設定情報識別情報と、前記通信部で受信した更新情報要求に含まれる設定情報識別情報とを比較し、前記通信部で受信した更新情報要求に含まれる設定情報識別情報が古い場合、前記保持部に保持する前記設置情報と設定情報識別情報とを前記通信部に通知し、前記通信部で受信した更新情報要求に含まれる設定情報識別情報と同じまたは新しい場合、該当する設定情報はない旨を前記通信部に通知する。
【０００９】
本発明の双方向受信機管理サーバによれば、ＳＮＭＰのポーリングによる方法に比べ、双方向デジタル放送受信機からのアクセスに応答して設定情報、更新情報を送信するため、双方向受信機管理サーバ側で膨大で変化する双方向デジタル放送受信機のモデムのＩＰアドレスを管理する必要がなく、小規模なシステムで双方向デジタル放送受信機の設置設定、更新設定が可能であり、また、双方向デジタル放送受信機が電源ＯＦＦなどで設置設定、更新設定できないという状況を回避し、設定効率を高めることができる。
【００１０】
また、本発明の双方向デジタル放送受信機は、受信機識別情報と受信機機種識別情報と受信機情報とを保持する保持部と、前記保持部に保持する受信機識別情報と受信機機種識別情報と受信機情報とを含む設置情報要求を送信し、また、前記送信した設置情報要求に対して設定情報と前記設定情報を識別する設定情報識別情報を受信する通信部と、前記通信部で受信した設定情報と前記設定情報を識別する設定情報識別情報を前記保持部に保持させ、前記保持部に保持させた設定情報に基づき設定を行う処理部と、からなる。
【００１１】
また、本発明の双方向デジタル放送受信機において、前記通信部は、さらに、前記保持部に保持する受信機識別情報と受信機機種識別情報と受信機情報と設定情報識別情報とを含む更新情報要求を送信し、また、前記送信した更新情報要求に対して新たな設定情報と前記新たな設定情報を識別する設定情報識別情報とを受信し、前記処理部は、前記通信部で受信した新たな設定情報と前記新たな設定情報を識別する設定情報識別情報とを前記保持部に保持させ、前記保持部に保持させた新たな設定情報に基づき設定を行う。
【００１２】
本発明の双方向デジタル放送受信機によれば、自身からのアクセスに応答して双方向受信機管理サーバから設置情報、更新情報が送信されるので、双方向デジタル放送受信機が電源ＯＦＦなどで設置設定、更新設定がされないとう状況を回避することができる。
【発明の効果】
【００１３】
本発明の双方向受信機管理サーバによれば、ＳＮＭＰのポーリングによる方法に比べ、双方向デジタル放送受信機からのアクセスに応答して設定情報、更新情報を送信するため、双方向受信機管理サーバ側で膨大で変化する双方向デジタル放送受信機のモデムのＩＰアドレスを管理する必要がなく、小規模なシステムで双方向デジタル放送受信機の設置設定、更新設定が可能であり、また、双方向デジタル放送受信機が電源ＯＦＦなどで設置設定、更新設定できないという状況を回避し、設定効率を高めることができる。
【００１４】
また、本発明の双方向デジタル放送受信機によれば、自身からのアクセスに応答して双方向受信機管理サーバから設置情報、更新情報が送信されるので、双方向デジタル放送受信機が電源ＯＦＦなどで設置設定、更新設定がされないとう状況を回避することができる。
【図面の簡単な説明】
【００１５】
【図１】本発明における双方向受信機管理システムの構成図
【図２】本発明における双方向受信機管理サーバの保持部が保持する設定データの構成図
【図３】本発明における設置情報要求時の通信電文および応答通信電文の構成図
【図４】本発明における更新情報要求時の更新通信電文および更新応答通信電文の構成図
【図５】本発明における設置情報要求時の双方向受信機管理サーバの処理フロー図
【図６】本発明における更新情報要求時の双方向受信機管理サーバの処理フロー図
【図７】従来例によるＳＮＭＰ設定システムの構成図
【発明を実施するための形態】
【００１６】
以下本発明を実施するための最良の形態について、図面を参照しながら説明する。
【実施例１】
【００１７】
図１は、本発明の実施例１における双方向受信機管理システム１の構成図である。
【００１８】
図１において、ＣＡＴＶの映像音声信号は、ＣＡＴＶ局の放送設備１２０からＭＩＸ（混合器）１４０、変調器（図示せず）を経由し、ＣＡＴＶの伝送路１５０に送信され、双方向デジタル放送受信機１６０で受信される。
【００１９】
映像音声信号は双方向デジタル放送受信機１６０の信号処理部１６４で処理され、表示部１６５を経由し、ＴＶ（テレビ）モニタ１７０で表示される。リモコン１８０を操作すると受信部１６６で制御信号を受信し、処理部１６２で処理される。
【００２０】
保持部１６１には、受信機識別情報（例えば双方向デジタル放送受信機製造時に付与されるＳＴＢＩＤ、双方向デジタル放送受信機に装着される限定受信制御カードの識別番号であるＣＡＳカードＩＤなど）、受信機機種識別情報（例えば双方向デジタル放送受信機の機種に付与されたモデルＩＤなど）、双方向受信機管理サーバ１００から送信される設定情報および設定情報を識別する設定情報識別情報を保持する。
【００２１】
処理部１６２は、ネットワークへの初期接続時、電源起動時または電源起動後一定時間（たとえば２４時間）以上経過後や、あらかじめ双方向デジタル放送受信機ごとに決められた時刻等、定期的に通信部１６３を経由し、内蔵モデムまたは外付けモデム（図示せず）経由ＩＰ（インターネットプロトコル）通信でＣＭＴＳ１３０経由双方向受信機管理サーバ１００にアクセスを行う。
【００２２】
なお、図１では双方向デジタル放送受信機１６０、ＴＶモニタ１７０、リモコン１８０はユーザ宅に設置され、ＣＡＴＶ局によっては、現状数十万から百数十万以上の規模であり、増加し続けている。端末１１０、双方向受信機管理サーバ１００、ＣＭＴＳ１３０、ＭＩＸ１４０含め放送設備１２０までがＣＡＴＶ局に設置される。
【００２３】
双方向受信機管理サーバ１００は、保持部１０１に、事前に端末１１０から双方向デジタル放送受信機１６０に設定する設定情報を保持し、また双方向デジタル放送受信機１６０から送信される情報を保持する。設定情報は放送設備１２０と連携し、双方向デジタル放送受信機１６０ごとの管理を行う加入者管理システムからの情報で設定してもよい。
【００２４】
図２は、保持部１０１が保持するデータの構成例である。
【００２５】
図２（ａ）から（ｃ）は双方向デジタル放送受信機１６０に送信する情報であり、図２（ｄ）は、双方向受信機管理サーバ１００から双方向デジタル放送受信機１６０に対して設定情報を送信した際に設定記録として保持部１０１に保持する情報である。図２（ｅ）は双方向デジタル放送受信機１６０から受信した際に受信機情報をデータとして保持するものである。双方向受信機管理サーバ１００は、これらのデータ構成のデータを双方向デジタル放送受信機１６０の台数分、機種分または機種ごとのグループ分、保持部１０１に保持する。
【００２６】
図２（ａ）の設定データ２００は、受信機機種識別情報２０１、受信機機種識別情報２０１に対応する設定情報２０２および設定情報２０２を識別する設定情報識別情報２０３（例えばファイル名とバージョン番号）からなる。
【００２７】
図２（ｂ）の設定データ２１０は、データ２００の構成に加え、双方向デジタル放送受信機１６０をグループ分けしたグループ識別情報２１１から構成される。グループ識別情報２１１としては、例えば、ＣＡＴＶのエリアに該当するＣＡＴＶの伝送セグメントに割り当てられたＣＭＴＳのＩＰアドレス範囲や、複数の受信機機種識別情報２０１等を割当てる。これにより、例えば特定のエリア（グループ識別情報２１１）の特定の受信機モデル（受信機機種識別情報２０１）や、複数の受信機モデル（受信機機種識別情報２０１）に対して設定情報２０２を対応させる場合に使用できる。
【００２８】
図２（ｃ）の設定データ２２０は、双方向デジタル放送受信機１６０個別に設定情報２０２を保持する場合の構成である。受信機識別情報２２１、受信機識別情報２２１に対応する設定情報２０２、設定情報識別情報２０３からなる。
【００２９】
図２（ｄ）の設定データ２３０は、設定データ２００、２１０または２２０の設定情報２０２を通知した場合に保持部１０１に保持する情報で、その保持内容は、受信機識別情報２３１、設定情報識別情報２３２、双方向受信機管理サーバ１００が双方向デジタル放送受信機１６０の設置情報２０２を更新した年月日時等を示す更新時刻情報２３３である。
【００３０】
図２（ｅ）の受信機情報２４０は、双方向デジタル放送受信機１６０から受信した受信機識別情報２４１、受信機機種識別情報２４２、受信機識別情報２４１および受信機機種識別情報２４２以外の受信機情報２４３、設定情報識別情報２４４、双方向受信機管理サーバ１００が双方向デジタル放送受信機１６０から後述する通信電文３００を受信した年月日時等を示す受信時刻情報２４５からなる。受信機情報２４３として、双方向デジタル放送受信機１６０に割り当てられたＩＰアドレス、ＭＡＣアドレス、インストールされているソフトウェアバージョン番号などである。従来ＳＮＭＰで通知されていた受信機情報をＳＮＭＰの電文形式で掲載し、双方向受信機管理サーバ１００でＳＮＭＰ電文を解析するようにしても良い。
【００３１】
図３（ａ）の通信電文３００は、双方向デジタル放送受信機１６０がネットワークに初期接続した時に、双方向受信機管理サーバ１００に設定情報を要求する際の設定情報要求の通信電文の一構成例であり、図３（ｂ）の応答通信電文３１０は、双方向受信機管理サーバ１００から双方向デジタル放送受信機１６０への設定情報要求の通信電文３００に対する応答通信電文の一構成例である。
【００３２】
双方向デジタル放送受信機１６０の起動後、処理部１６２は、ネットワーク接続時に、例えば保持部１６１に保持するネットワーク未接続フラグをチェックし、未接続フラグが有効の場合は、初期接続と判断し、保持部１６１に保持する双方向受信機管理サーバ１００のＵＲＬ（ユニフォーム・リソース・ロケータ）から、ＤＮＳ（ドメイン・ネーム・システム）サーバ（図示しない）より取得したＩＰアドレス宛、双方向受信機管理サーバ１００にアクセスする。初期接続後はネットワーク未接続フラグを無効にする。
【００３３】
図３（ａ）において、通信電文３００は、設置情報要求を示すコマンド識別情報である設置情報要求３０１、受信機識別情報３０２、受信機機種識別情報３０３、受信機識別情報３０２および受信機機種識別情報３０３以外の受信機情報３０４で構成される。双方向デジタル放送受信機１６０の通信部１６３経由で送信された通信電文３００が、通信部１０３経由、処理部１０２で処理され、受信機情報として図２（ｅ）で説明したように、双方向受信機管理サーバ１００の保持部１０１に保持される。なお、設置情報要求時には図２（ｅ）で説明した設定情報識別情報２４４は、未設定のためこの場合は通知されない。
【００３４】
図３（ｂ）において、応答通信電文３１０は、設定情報要求３００に対する応答通信電文の一構成例である。応答通信電文３１０は、設置情報要求応答を示すコマンド識別情報である設置情報要求応答３１１、設置情報２０２および設定情報識別情報２０３で構成される。双方向受信機管理サーバ１００は、受信した通信電文３００に記載の受信機識別情報３０２や受信機機種識別情報３０３に合致する設定情報と設定情報識別情報を、保持部１０１に保持する図２（ａ）から（ｃ）の設定データから検索し、検索した設定情報と設定情報識別情報が記載された応答通信電文３１０の例で示す応答通信電文を通信部１０３経由で双方向デジタル放送受信機１６０に送信する。
【００３５】
図５において、双方向受信機管理サーバ１００が、通信電文３００（設置情報要求）を受信した場合の動作フローを記載する。
【００３６】
双方向受信機管理サーバ１００の処理部１０２は、通信電文３００を受信すると（ステップＳ５０２）、受信した通信電文３００の受信機識別情報３０２、受信機機種識別情報３０３、受信機情報３０４に含まれるＩＰアドレスから、保持部１０１に保持する対応する図２（ａ）、（ｂ）または（ｃ）で説明した設定情報２０２を検索する（ステップＳ５０３）。図２（ｃ）に示す受信機識別情報２２１に対する個別の設定情報２０２が保持部１０１に保持されている場合は（ステップＳ５０４で有り）、該当する設定データ２２０の設定情報２０２、設定識別情報２０３を図３（ｂ）の応答通信電文３１０として保持部１０１から通信部１０３に通知する（ステップＳ５０５）。一方、受信機識別情報２２１に対する個別の設定情報２０２が保持部１０１に保持されていない場合（ステップＳ５０４で無し）で、図２（ｂ）に示すように受信機機種識別情報２０１に加え、グループ識別情報２１１が設定されている場合は（ステップＳ５０６で有り）、該当する設定データ２１０の設定情報２０２、設定識別情報２０３を図３（ｂ）の応答通信電文３１０として保持部１０１から通信部１０３に通知する（ステップＳ５０７）。図２（ａ）に示す受信機機種識別情報２０１に対する設定情報２０２のみが設定されている場合は（ステップＳ５０６で無し）、該当する設定データ２００の設定情報２０２、設定識別情報２０３を図３（ｂ）の応答通信電文３１０として保持部１０１から通信部１０３に通知する（ステップＳ５０８）。
【００３７】
通信部１０３は応答通信電文３１０を双方向デジタル放送受信機１６０に送信し、送信が成功すると処理部１０２は送信した該当受信機識別情報２３０（図２（ｄ））を更新する（ステップＳ５０９）。
【００３８】
双方向デジタル放送受信機１６０は、応答通信電文３１０を通信部１６３で受信し、処理部１６２で処理し、設定情報２０２、設定情報識別情報２０３を保持部１６１に保持し、設定内容を設定する。設定については、双方向デジタル放送受信機１６０の電源切断時等、運用に影響の生じないタイミングで行う。
【００３９】
双方向デジタル放送受信機１６０が受信した設定情報２０２として、図３（ｃ）に示すように、システム周波数２０２−１、各種放送ネットワーク設定（ＮＩＴ取得周波数）２０２−２、各種アプリケーションサーバのＵＲＬ２０２−３、放送設備１２０の限定受信制御の個別制御に使用されるＥＭＭ（エンタイトルメント・マネージメント・メッセージ）本体２０２−４、ＳＮＭＰ  ＭＩＢ情報２０２−５、最新ソフトウェアバージョン２０２−６などがある。
【００４０】
双方向デジタル放送受信機１６０は、取得した最新ソフトウェアバージョン２０２−６と自装置にインストールされているソフトウェアバージョンを比較し、自装置のソフトウェアバージョンが古い場合は、２０２−３で指定されたソフトウェアダウンロードサイトにアクセスし、最新のソフトウェアをダウンロードし、更新する。
【００４１】
なお、ＳＮＭＰ  ＭＩＢ情報２０２−５については、取り出したＳＮＭＰ  ＭＩＢ情報を図７で説明した双方向デジタル放送受信機７２０と同様に双方向デジタル放送受信機１６０内の既存のＳＮＭＰ  ＭＩＢ情報を処理する仕組みに通知することで、処理する。
【００４２】
また、ＥＭＭ本体２０２−４については、双方向デジタル放送受信機１６０が放送信号として受信し、双方向デジタル放送受信機１６０に装着された限定受信制御カードにＥＭＭ本体を通知し、限定受信制御カードでＥＭＭを処理する既存の仕組みで処理する。
【００４３】
このように、ファイル形式等による第一の電文形式の設定情報２０２に既存のＳＮＭＰ  ＭＩＢ情報２０２−５や、ＥＭＭ本体２０２−４による第二の電文形式の情報を記載して、送信し、双方向デジタル放送受信機１６０で既存のＳＮＭＰ  ＭＩＢ情報や、ＥＭＭ本体として処理することにより、既存の処理プログラムをそのまま利用することができ、プログラムの再利用性が高まり、開発効率（生産性）が向上する。
【００４４】
以降、双方向デジタル放送受信機１６０の処理部１６２は、起動時または定期的に後述する更新情報要求を、通信部１６３を経由して、双方向受信機管理サーバ１００に通知する。
【００４５】
図４（ａ）に、更新情報を要求する場合の更新情報要求の電文例として更新通信電文４００を示す。図４（ｂ）、（ｃ）は更新情報要求の応答電文例であり、図４（ｂ）が更新すべき設定情報がある場合の応答更新通信電文４１０、図４（ｃ）が更新すべき設定情報がない場合の応答更新通信電文４２０である。
【００４６】
図４（ａ）において、更新通信電文４００は、更新情報要求を識別するコマンド識別情報である更新情報要求４０１と、図３（ａ）で述べた受信機識別情報３０２、受信機機種識別情報３０３、受信機情報３０３に加え、既に図３（ｂ）の応答通信電文３１０を受信しているため、設定情報識別情報４０２が追加になっている。
【００４７】
図４（ｂ）において、応答更新通信電文４１０は、更新情報要求への応答を示すコマンド識別情報である更新情報要求応答４１１、更新すべき設定情報２０２およびその設定情報識別情報２０３２０３を含む。
【００４８】
図４（ｃ）において、応答更新通信電文４２０は、上述の更新情報要求応答４１１と、更新すべき設定情報がない場合の設定情報なし情報４２１を含む。
【００４９】
図６において、双方向受信機管理サーバ１００が、更新通信電文４００（更新情報要求）を受信した場合の動作フローを記載する。
【００５０】
双方向受信機管理サーバ１００の処理部１０２は、双方向デジタル放送受信機１６０から伝送路１５０経由、ＣＭＴＳ１３０で終端し、通信部１０３が更新通信電文４００を受信すると（ステップＳ６０２）、更新通信電文４００の受信機識別情報３０２、受信機機種識別情報３０３および受信機情報３０４に含まれるＩＰアドレスから、上述の通信電文３００の場合と同様に、保持部１０１に保持する対応する図２（ａ）、（ｂ）または（ｃ）で説明した設定情報２０２を検索する（ステップＳ６０３）。
【００５１】
次に、受信した更新通信電文４００の設定情報識別情報４０２と、保持部１０１に保持する設定情報２０２に対応する設定情報識別情報２０３との新旧を比較し（ステップＳ６０４）、受信した設定情報識別情報４０２が、保持部１０１に保持する設定情報２０２の設定情報識別情報２０３より古い場合、保持部１０１に保持する設定情報２０２と設定情報識別情報２０３を図４（ｂ）の応答更新通信電文４１０として、通信部１０３に渡す通知する（ステップＳ６０５）。通信部１０３は応答更新通信電文４１０を双方向デジタル放送受信機１６０に送信し、送信が成功すると処理部１０２は送信した該当受信機識別情報２３０（図２（ｄ））を更新する（ステップＳ６０６）。
【００５２】
一方、受信した更新通信電文４００の設定情報識別情報４０２が、保持部１０１に保持する設定情報２０２の設定情報識別情報２０３と同じまたは新しい場合、設定情報なし情報４２１を図４（ｃ）の応答更新通信電文４２０として、通信部１０３に通知する（ステップＳ６０７）。
【００５３】
双方向受信機管理サーバ１００の処理部１０２は、従来のＳＮＭＰ  ＭＩＢ情報で設定していた設定情報について、双方向デジタル放送受信機１６０から設置情報要求または更新情報要求を受信するとファイル形式等による第一の電文形式の設定情報２０２に既存のＳＮＭＰ  ＭＩＢ情報２０２−５による第二の電文形式の情報を記載して、通信電文を作成し、通信部１０３を経由して、応答通信電文３１０または応答更新通信電文４１０として応答する。
【００５４】
本発明の双方向受信機管理サーバによれば、ＳＮＭＰのポーリングによる方法に比べ、双方向デジタル放送受信機からのアクセスに応答して設定情報、更新情報を送信するため、双方向受信機管理サーバ側で膨大で変化する双方向デジタル放送受信機のモデムのＩＰアドレスを管理する必要がなく、小規模なシステムで双方向デジタル放送受信機の設置設定、更新設定が可能であり、また、双方向デジタル放送受信機が電源ＯＦＦなどで設置設定、更新設定できないという状況を回避し、設定効率を高めることができる。
【００５５】
また、本発明の双方向デジタル放送受信機によれば、自身からのアクセスに応答して双方向受信機管理サーバから設置情報、更新情報が送信されるので、双方向デジタル放送受信機が電源ＯＦＦなどで設置設定、更新設定がされないとう状況を回避することができる。
【００５６】
なお、双方向受信機管理サーバ１００が、設定情報２０２に記載するＥＭＭ本体情報２０２−４を放送設備１２０から取得する手順について説明する。
【００５７】
放送設備１２０にはＣＡＴＶ局に加入した加入者情報を管理する加入者管理システム、
限定受信の制御を行うＣＡ（コンディショナル・アクセス）システムを備える。ＣＡシステムは、加入者管理システムから情報を受け取り個別情報であるＥＭＭを生成するＥＭＭ生成装置、番組情報に限定受信共通制御情報であるＥＣＭ（エンタイトルメント・コントロール・メッセージ）を掲載するためのＥＣＭ生成装置、映像音声情報にＥＣＭ、ＥＭＭを多重しスクランブルを行うスクランブル装置から構成される。
【００５８】
加入者管理システムからＥＭＭ生成装置への加入者情報の登録・更新は、新規契約、契約変更に伴い、都度実施される。そのため、更新されたＥＭＭが都度および繰り返し送信されている。また、ＥＭＭには有効期限があるため、有効期限前の双方向デジタル放送受信機に対して、有効期限を更新したＥＭＭを送信している。
【００５９】
ＥＭＭ生成装置は、更新した更新情報を定期的に双方向受信機管理サーバ１００に送出し、その更新情報を双方向受信機管理サーバ１００が参照する。更新情報には、前回の更新情報送出時以降の更新情報で構成し、更新された受信機識別情報、更新日付または有効期限を含む。具体的には処理部１０２が通信部１０３を経由し放送設備１２０内のＥＭＭ生成装置の更新情報を取得し、保持部１０１に受信機識別情報ごとに更新情報を上書き更新しながら保持する。
【００６０】
双方向受信機管理サーバ１００では、双方向デジタル放送受信機１６０からの、設置情報要求時、更新情報要求時、保持部１０１に保持する更新情報と前回の受信時刻情報２４５を比較参照し、該当受信機識別番号に対応する更新情報がある場合は、ＥＭＭ生成装置に該当受信機識別情報に対応するＥＭＭ本体を要求し、取得したＥＭＭ本体２０２−４を設定情報２０２に含めて応答通信電文３１０または応答更新通信電文４１０を双方向デジタル放送受信機１６０に送信する。
【００６１】
このように更新情報を元にＥＭＭ生成装置へのアクセスを行うことにより、ＥＭＭ生成装置へのアクセス頻度を低下させ、ＥＭＭ生成の負荷を下げることができる。
【００６２】
また、本実施例において、双方向デジタル放送受信機１６０から双方向受信機管理サーバ１００に対する通信プロトコルは、ＨＴＴＰ（ハイパー・テキスト・トランスファ・プロトコル）、ＨＴＴＰＳ（ハイパー・テキスト・トランスファ・プロトコル・オーバ・セキュア・ソケット・レイヤ）、ソケット通信、ＳＮＭＰ等限定するものではない。
【００６３】
また、設定情報２０２を設定データ２００、２１０、２２０に分けて例示したが、これらを統合したデータ構造としても良い。
【産業上の利用可能性】
【００６４】
本発明によれば、ＳＮＭＰのポーリングによる方法に比べ、双方向デジタル放送受信機からのアクセスに応答して設定情報、更新情報を送信するため、双方向受信機管理サーバ側で膨大で変化する双方向デジタル放送受信機のモデムのＩＰアドレスを管理する必要がなく、小規模なシステムで双方向デジタル放送受信機の設置設定、更新設定が可能であり、また、双方向デジタル放送受信機が電源ＯＦＦでなどで設置設定、更新設定できないという状況を解決し、設定効率を高めることができ、双方向受信機管理サーバおよび双方向デジタル放送受信機として有用である。
【符号の説明】
【００６５】
１００    双方向受信機管理サーバ
１１０    端末
１２０    放送設備
１３０    ＣＭＴＳ
１４０    ＭＩＸ
１５０    伝送路
１６０    双方向デジタル放送受信機
２００、２１０、２２０、２３０、２４０    保持データ
３００    通信電文
３１０    応答通信電文
４００    更新通信電文
４１０、４２０    更新応答通信電文
【図１】
2013077861.tif 000003
【図２】
2013077861.tif 000004
【図３】
2013077861.tif 000005
【図４】
2013077861.tif 000006
【図５】
2013077861.tif 000007
【図６】
2013077861.tif 000008
【図７】
2013077861.tif 000009